(57)【要約】【課題】遊戯の幅を広げた車両玩具の回収装置を提供すること。【解決手段】進退可能かつ上下動可能に設けられたブレードと、前記ブレードを進退させる進退装置と、前記ブレードの進退に伴い前記ブレードを上下動させる上下動装置とを備え、装置機枠外にある車両玩具に対して前記ブレードを推進させる際に上昇させて当該車両玩具の上方を通過させた後下降させて接地させ、前記ブレードを下降させたままで前記ブレードを後退させて前記車両玩具を掻き寄せ前記装置機枠内に回収するように構成されている。【選択図】        図１
2004208914.tif 000002
【特許請求の範囲】
【請求項１】
進退可能かつ上下動可能に設けられたブレードと、前記ブレードを進退させる進退装置と、前記ブレードの進退に伴い前記ブレードを上下動させる上下動装置とを備え、装置機枠外にある車両玩具に対して前記ブレードを推進させる際に上昇させて当該車両玩具の上方を通過させた後下降させて接地させ、前記ブレードを下降させたままで前記ブレードを後退させて前記車両玩具を掻き寄せ前記装置機枠内に回収するように構成されていることを特徴とする車両玩具の回収装置。
【請求項２】
前記進退装置には、ピニオンと、このピニオンに噛合するラックが形成され当該ピニオンの正転および逆転によって前記ブレードの進退方向で往復動作する往復動作部材とが含まれ、前記往復動作部材には前記ブレードを支持するアームが上下動可能に連結され、前記往復動作部材の往復動作に伴い前記ブレードが進退し、前記アームの上下動に伴い前記ブレードが上下動するように構成されていることを特徴とする請求項１記載の車両玩具の回収装置。
【請求項３】
前記進退装置は操作レバーを含み、この操作レバーによって前記ピニオンを回転させるように構成したことを特徴とする請求項２記載の車両玩具の回収装置。
【請求項４】
前記装置機枠内には、先端の折曲部が掬い部を構成するスロープ部材と、このスロープ部材の前記掬い部側を上下動させる上下動装置とが設けられ、前記車両玩具の掻き寄せ位置で当該車両玩具が前記掬い部の上に乗るように構成し、前記上下動装置によって前記スロープ部材の前記掬い部側を上昇させることによって、前記車両玩具を前記掬い部で掬い上げて前記装置機枠内の他の位置に収納するように構成されていることを特徴とする請求項１から３いずれか一に記載の車両玩具の回収装置。
【請求項５】
請求項１〜４のいずれか一に記載の車両玩具の回収装置を搭載したことを特徴とするキャリアカー玩具。
【発明の詳細な説明】
【０００１】
【発明の属する技術分野】
本発明は、車両玩具の回収装置および該回収装置を搭載したキャリアカー玩具に関するもので、詳しくは、装置機枠外に在る車両玩具を装置機枠内に取り込む車両玩具の回収装置および該回収装置を搭載したキャリアカー玩具に関するものである。
【０００２】
【従来の技術】
車両玩具の収納装置としては、立体駐車場、キャリアカー玩具等があるが、いずれも車両玩具を手に持ってそれらの内部に置き、それらの内部に設置されたスロープ等で車両玩具を移動させたりしているだけで、外部の車両玩具を装置機枠内に取り込むものはない（たとえば特許文献１）。
【０００３】
【特許文献１】
特開２００１−２９３２５９号公報
【０００４】
【発明が解決しようとする課題】
本発明は、それらの立体駐車場やキャリアカー玩具等に車両玩具を回収するようにして遊びの幅を広げることができる車両玩具の回収装置を提供することを目的としている。
【０００５】
【課題を解決するための手段】
請求項１記載の回収装置は、進退可能かつ上下動可能に設けられたブレードと、前記ブレードを進退させる進退装置と、前記ブレードの進退に伴い前記ブレードを上下動させる上下動装置とを備え、装置機枠外にある車両玩具に対して前記ブレードを推進させる際に上昇させて当該車両玩具の上方を通過させた後下降させて接地させ、前記ブレードを下降させたままで前記ブレードを後退させて前記車両玩具を掻き寄せ前記装置機枠内に回収するように構成されていることを特徴とする。この場合の「推進装置」や「上下動機構」は歯車機構、リンク機構、ロープ伝動機構またはカム機構等を適宜用いることによって実現できる。
【０００６】
請求項２記載の回収装置は、第１の手段に係る回収措置において、前記進退装置には、ピニオンと、このピニオンに噛合するラックが形成され当該ピニオンの正転および逆転によって前記ブレードの進退方向で往復動作する往復動作部材とが含まれ、前記往復動作部材には前記ブレードを支持するアームが上下動可能に連結され、前記往復動作部材の往復動作に伴い前記ブレードが進退し、前記アームの上下動に伴い前記ブレードが上下動するように構成されていることを特徴とする。この場合「ピニオン」の回転は手動で行わせても電動で行わせてもよい。
【０００７】
請求項３記載の回収装置は、第２の手段に係る回収装置において、前記進退装置は操作レバーを含み、この操作レバーによって前記ピニオンを回転させるように構成したことを特徴とする。
【０００８】
請求項４記載の回収装置は、第１〜３のいずれか一の手段に係る車両玩具の回収装置において、前記装置機枠内には、先端の折曲部が掬い部を構成するスロープ部材と、このスロープ部材の前記掬い部側を上下動させる上下動装置とが設けられ、前記車両玩具の掻き寄せ位置で当該車両玩具が前記掬い部の上に乗るように構成し、前記上下動装置によって前記スロープ部材の前記掬い部側を上昇させることによって、前記車両玩具を前記掬い部で掬い上げて前記装置機枠内の他の位置に収納するように構成されていることを特徴とする。
【０００９】
請求項５記載のキャリアカー玩具は、第１〜４のいずれか一の手段に係る車両玩具の回収装置を搭載したことを特徴とする。
【００１０】
請求項１から４記載の回収装置によれば、ブレードを回収しようとする車両玩具の上方で推進させその車両玩具よりも遠くの位置で接地させ、そのブレードによって車両玩具を装置機枠に掻き寄せることができる。換言すれば、ブレードを上方から車両玩具を囲うように落とし込み、車両玩具を装置機枠に掻き寄せることができる。したがって、車両玩具を簡単に回収することができる。
【００１１】
【発明の実施の形態】
１．概略説明
図１は車両玩具の回収装置を搭載したキャリアカー玩具の全体を示した概念的な斜視図である。このキャリアカー玩具は、前部に備えたブレード１０を上方から車両玩具Ａを囲うように落とし込み、車体（装置機枠）１内に車両玩具Ａを掻き寄せ、中間部に備えたスロープ部材２０を上昇させることによって、車体１の後部に架設された上段収納スペース２に収納するものである。
以下、その細部構成を説明する。
【００１２】
２．詳細構成
（１）ブレード１０
このキャリアカー玩具のブレード１０は車両玩具Ａを掻き寄せるためのものである。このブレード１０の両端部にはアーム１０ａが付設されている。各アーム１０ａの基端部には図３に示すように下側に軸１２が設けられ、上側にカムフォロア（突子）１４が設けられている。
一方、車体１の両側板３には、図１から図３に示すように、車体１の前後方向に延在する長孔１１が形成されている。各長孔１１には各アーム１０ａの基端部の軸１２が挿通されている。これにより、ブレード１０は、長孔１１に沿って車両模型Ａに対して進退可能となっているとともに、軸１２を中心に上下に回動可能となっている。
また、車体１の両側板３には前後方向に延びる無端状のカム溝１３が形成されている。各カム溝１３には各アーム１０ａの基端部のカムフォロア１４がアーム１０ａの外方への弾性力によって嵌合されている。そして、ブレード１０は、ブレード１０が進退する際に前記軸１２を中心に上下方向に動作するようになっている。
なお、例えば、各アーム１０ａを複数のアーム片で構成し、ブレード１０が下降途中に何かに引っかかった場合でもアームが屈曲することで、操作レバー１６の操作が妨げられないようにすることが好ましい。
【００１３】
（２）ブレード１０の進退装置Ｂ
この進退装置Ｂは、回収可能位置にある車両模型Ａに対してブレード１０を進退させるためのものである。この進退装置Ｂは図２に示すように往復動作部材１５と、ラック１５の作動機構４０とを備えて構成されている。
【００１４】
▲１▼往復動作部材１５
このキャリアカー玩具では、車体１の一方の側板３にラック１５ａが形成された往復動作部材１５が車体１の前後方向に往復動作可能に設置されている。そして、この往復動作部材１５の先端はブレード１０の軸１２に連結されている。そして、この往復動作部材１５の往復動作に伴ってブレード１０が前後方向で進退動作するようになっている。
【００１５】
▲２▼往復動作部材１５の作動機構４０
作動機構４０は操作レバー１６と歯車機構１７から構成されている。歯車機構１７は、車体１に付設された歯車１７ａ、１７ｂ、１７ｃによって構成されている。このうち歯車１７ａは入力歯車であって扇形に形成されている。この歯車１７ａには操作レバー１６が付設され、操作レバー１６の前後の操作に伴い歯車１７ａが正逆に回転するようになっている。この歯車１７ａに噛合する歯車１７ｂは中間歯車である。また、歯車１７ｂと同軸に設けられた歯車１７ｃはピニオンであり出力歯車として構成されている。この歯車１７ｃはラック１５ａに噛合されている。したがって、このキャリアカー玩具では、操作レバー１６を前方に回動させると、歯車１７ａ、１７ｂを介して歯車１７ｃに動力が伝達され、歯車１７ｃの回転によりラック１５ａが前方に押し出され、これによって往復動作部材１５が前方へ移動する。一方、操作レバー１６を後方に回動させると、歯車１７ａ、１７ｂを介して歯車１７ｃに動力が伝達され、歯車１７ｃの回転によりラック１５ａが後方に引き戻され、これによって往復動作部材１５が後方へ移動する。
なお、このキャリアカー玩具では、先端をピニオン１７ｃに係合させたプラスチック、金属等によって形成された弾性舌片１９が車体１の側板３に設置されており、その弾性舌片１９によって音出し機構が構成されているが、この音出し機構はなくてもよい。
また、前記の作動機構４０はキャリアカー玩具の左右に設けてもよい。この場合、歯車１７ａの軸を共通のシャフトとして連動させることができる。
さらに、操作レバー１６または歯車機構１７内にクラッチを組み込んでもよい。そして、例えばブレード１０が固定されたままで操作レバー１６を操作した場合でも、歯車機構１７その他の部品が壊れないようにすることが好ましい。
【００１６】
（３）ブレード１０の上下動装置Ｃ
この上下動装置Ｃはカム装置として構成されている。このカム装置Ｃはカム溝１３は次のように構成されている。
【００１７】
▲１▼カム溝１３
１）カム溝１３の構成
図３に示すカム溝１３は、上部カム溝１３ａと下部カム溝１３ｂとそれらを結ぶ前端部カム溝１３ｃと後端部カム溝１３ｄとによって構成されている。このうち上部カム溝１３ａと下部カム溝１３ｂは前記長孔１１に平行となるように形成され、前端部カム溝１３ｃは前方に向けて下り勾配を持つように形成され、後端部カム溝１３ｄは前方に向けて上り勾配を持つように形成されている。また、下部カム溝１３ｂと後端部カム溝１３ｄとの会合部は、後端部カム溝１３ｄの深さの方が、下部カム溝１３ｂのそれよりも深く設定されている。さらに、後端部カム溝１３ｄおよび上部カム溝１３ａの溝の深さは同じで、下部カム溝１３ｂは後端側に向けて溝の深さが徐々に浅くなるように設定されている。
【００１８】
２）カム溝１３の作用
このカム溝１３とカムフォロア１４の嵌合関係を説明すれば、ブレード１０が退行位置にあるときには、下部カム溝１３ｂと後端部カム溝１３ｄとの会合部にカムフォロア１４が位置し、ブレード１０は下降状態にある。この状態からブレード１０を前進させると、図３（ａ）に示すように、カムフォロア１４に後端部カム溝１３ｄを倣わせカムフォロア１４を上部カム溝１３ａに向かわせ、ブレード１０を上昇させる。この場合、下部カム溝１３ｂと後端部カム溝１３ｄとの会合部は、後端部カム溝１３ｄの深さの方が、下部カム溝１３ｂのそれよりも深く設定され、しかも、アーム１０ａの外方への弾性力によってカムフォロア１４が溝に嵌合しているので、カムフォロア１４が後端部カム溝１３ｄから下部カム溝１３ｂへ逆行することはない。
【００１９】
カムフォロア１４が後端部カム溝１３ｄと上部カム溝１３ａとの会合部に至った後、さらにブレード１０を前進させると、カムフォロア１４に上部カム溝１３ａを倣わせカムフォロア１４を前端部カム溝１３ｃに向かわせる。そして、カムフォロア１４が上部カム溝１３ａと前端部カム溝１３ｃの会合部に至ると、ブレード１０を自重によって下降させ、ブレード１０を接地させる。
【００２０】
カムフォロア１４が前端部カム溝１３ｃと下部カム溝１３ｂとの会合部にある状態から、ブレード１０を退行させると、カムフォロア１４に下部カム溝１３ｂを倣わせカムフォロア１４を後端部カム溝１３ｄに向かわせる。
【００２１】
以上のようにして、カム溝１３は、ブレード１０が推進する際にはそのブレード１０を上昇させて車両玩具Ａの上方を通過させ、車両玩具Ａを通過した時点で接地させる働きをし、ブレード１０が退行する際にはそのブレード１０に車両玩具Ａを掻き寄せるような動作をさせる働きをする。
【００２２】
（４）スロープ部材２０
スロープ部材２０は、スロープを滑動させて車両玩具Ａを発射する機能と、車両玩具Ａを掬い上げる機能とを有している。
【００２３】
▲１▼スロープ部材２０の構成
図５に示すようにスロープ部材２０は板状に形成され、その先端部は折り曲げられ掬い部２０ａを構成している。このスロープ部材２０の基端部には軸２３が付設されている。そして、スロープ部材２０は軸２３を中心に上下動可能となるように車体１に付設されている。また、スロープ部材２０には前記軸２３から所定間隔をおいてピン２４が突設されている。なお、同図にはスロープ部材２０の片側しか示されていないが、軸２３およびピン２４は両端に設けられている。
一方、キャリアカー玩具における車体１の両側板３には長孔２１と長溝２２がそれぞれ形成されている。このうち長孔２１は水平方向に延在し、長溝２２は後方に向けて上り勾配を持っている。この長孔２１および長溝２２にはスロープ部材２０の軸２３およびピン２４がそれぞれ嵌合されている。そして、軸２３が長孔２１に沿って退行すると、ピン２４が長溝２２に沿って上昇するので、スロープ部材２０の主部が水平状態となる（図５の２点鎖線参照）。一方、軸２３が長孔２１に沿って推進すると、ピン２４が長溝２２に沿って下降するので、スロープ部材２０の主部が傾斜状態となる（図５の実線参照）。
なお、スロープ部材２０を上昇する場合、そのスロープ部材２０の主部が後方に向けて僅かに下り勾配を有するようにすることが好ましい。このようにすれば、確実に車両玩具Ａが自走して上段収納スペース２に収納される。
また、スロープ部材２０が下降した際に、スロープ部材２０の基端部と上段収納スペース２との間に隙間ができる場合には、スロープ部材２０の基端部に対して屈曲可能かつ上段収納スペース２の床面に沿って摺動可能な連結板を設けて、その隙間が生じないようにすることもできる。
【００２４】
▲２▼スロープ部材２０の上下動装置Ｄ
上下動装置Ｄは図４に示すように操作レバー２７と溝付きレバー２５を備えて構成されている。このうち操作レバー２７は軸２８を中心に回動可能となっている。一方、溝付きレバー２５は片側の側板３における下部に軸２６によって回動可能に取り付けられている。この溝付きレバー２５の自由端側の溝２５ａには、操作レバー２７の先端に立設させたピン２９が挿嵌されているとともに、スロープ部材２０の軸２３が挿嵌されている。
【００２５】
▲３▼上下動装置Ｄの作用
操作レバー２７を図４において反時計方向へ回動させると、ピン２９を介して溝付きレバー２５が時計方向へ回動され、スロープ部材２０の軸２３を長孔２１内で右方に移動させる。したがって、スロープ部材２０は図５における実線で示した状態から２点鎖線で示した状態に変位する。
【００２６】
（７）キャリアカー玩具の動作
玩具車両Ａが前方に位置するように、キャリアカー玩具を移動させる。そして、操作レバー１６を作動させる。すると、図３（ａ）に示すように、カムフォロア１４および軸１２が移動され、それに伴ってブレード１０が上方へ移動する。そして、ブレード１０は図３（ｂ）の姿勢を保ちながら前方へ移動し、軸１２がカム溝１３の前端に達すると、図３（ｃ）に示すように、自重で落下し、車両玩具Ａをブレード１０内に取り込む。
次いで、操作レバー１６を反対方向へ操作すると、ブレード１０は水平状態を維持しながら車体１に引き込まれる。それに伴って、車両玩具Ａも車体１内に掻き寄せられ、スロープ部材２０の掬い部２０ａの上に乗る。
【００２７】
次いで、操作レバー２７を操作すると、スロープ部材２０は掬い部２０ａに車両玩具Ａを乗せながら、図５において実線で示した位置から２点鎖線で示した位置まで移動される。スロープ部材２０が２点鎖線の位置に移動されると、先端２０ａに位置していた車両玩具Ａは後方へ自走し、車体後部の収納スペース２に収納される。
【００２８】
３．変形
以上、本発明の実施の形態について説明したが、本発明は、かかる実施の形態に限定されず、その要旨を逸脱しない範囲で種々変形可能であることはいうまでもない。
たとえば、前記実施の形態では、ピニオン１７ｃの回転を操作レバー１６によって行なっているが、ピニオン１７ｃの回転をモータによって行なうこともできる。
【００２９】
【発明の効果】
本発明の車両玩具の回収装置によれば、立体駐車場やキャリアカー玩具等の外部にある車両玩具をブレードを作動させることによって立体駐車場やキャリアカー玩具等に掻き寄せて回収するので、より変化に富んだ遊びができる。
しかも、車両玩具の場合は、車輪を有しているので、ブレードによって掻き寄せるだけで、容易に回収することができる。
【００３０】
また、本発明の車両玩具の回収装置によれば、車両玩具の場合は車輪を有していることから、スロープ部材を上下動させるようにすれば、ブレードによって掻き寄せられた車両玩具を容易に後方の収納スペースに移動することができ、装置をコンパクトに構成することができる。
【図面の簡単な説明】
【図１】本発明に係る車両玩具の回収装置を搭載したキャリアカー玩具の全体を示した概念的な斜視図である。
【図２】図１のキャリアカー玩具におけるブレード作動機構の一部を示した側面図である。
【図３】図１のキャリアカー玩具におけるブレードの動作を示した動作図で、（ａ）はブレードの動作初期を示し、（ｂ）はブレードを装置機枠から最も突き出した状態を示し、（ｃ）はブレードが降下して接地した状態を示している。
【図４】図１のキャリアカー玩具におけるスロープ部材作動機構の一部を示した側面図である。
【図５】図１のキャリアカー玩具におけるスロープ部材の動作を示した動作図である。
【符号の説明】
１      車体
１０      ブレード
１３      カム溝
１４      カムフォロア
１５      往復動作部材
１５ａ      ラック
１６      操作レバー
１７ａ、１７ｂ、１７ｃ      歯車
２０      スロープ部材
Ａ      車両玩具
Ｂ      進退装置
Ｃ      上下動装置
Ｄ      上下動装置
【図１】
2004208914.tif 000003
【図２】
2004208914.tif 000004
【図３】
2004208914.tif 000005
【図４】
2004208914.tif 000006
【図５】
2004208914.tif 000007